(57)【要約】      （修正有）【課題】暗闇でも識別できる発光機能のみの駆動及び、危険時には傘の発光と同時に、警報音も鳴らせる機能の駆動と、傘の発光と同時に心和らぐ、ラジオを鳴らせる機能の駆動と、又、動作を全て切るの状態にする操作を、傘の握り部に設けたスイッチの切り替えにより、傘を持つ人の意思で自由に選択できる機能を備えた傘を提供する。【解決手段】傘全体を発光させる事と、傘全体の発光と同時に、警報音を鳴らす事及び、傘全体の発光と同時にラジオを鳴らす機能も設けた事、及び各機能単体を備えた使用すること。【選択図】図１
0003113989.tif 000002
【実用新案登録請求の範囲】
【請求項１】
透光性部材を含む傘であって、
前記透光性部材に光を浸入させる事のできる電源と、光源を使用し、
傘の石突き部、支柱部、親骨部、受骨部、露先部、握り部のいずれかを前記透光性部材に浸入した光によって発光する傘であって、
音を発生可能な音発生手段と、電波放送受信可能な、受信装置と、手動操作可能な操作部を備え、前記音発生手段から、警報音又は、電波放送受信音を発生させる事や、前記透光性部材に浸入した光によって、前記傘のいずれかの各部を発光する事又は、各機能の組み替えの使用を、前記手動操作部において、任意に切り替え、各機能を使用する事を、特徴とする傘。
【請求項２】
透光性部材が、傘の石突き部、支柱部、親骨部、受骨部、露先部、握り部のいずれかを発光する請求項１又は、請求項２記載の傘。
【請求項３】
前記音発生手段が、傘本体から３００デシベル以内の音を発生させる事を、特徴とする請求項１又は、請求項２又は、請求項３記載の傘。
【請求項４】
前記電波放送受信可能な受信装置から、ラジオ電波・ＴＶ電波のいずれかを、受信し前記音発生手段から、受信音を発生させる事を、特徴とする請求項１又は、請求項２又は、請求項３又は、請求項４記載の傘。
【請求項５】
前記透光性部材に、アクリル樹脂、ポリカ−ボネイト、ウレタンエラストマ、ポリ塩化ビニ−ル、ポリビニ−ルアルコ−ル、光ファイバ−、ガラス、エポキシ樹脂、透光性樹脂、ペット樹脂のいずれかを使用する事を、特徴とする請求項１又は、請求項２又は、請求項３又は、請求項４又は、請求項５記載の傘。
【請求項６】
前記、請求項１又は、請求項２又は、請求項３又は、請求項４又は、請求項５記載の傘に防犯ブザ−機能を備えた事を特徴とする、請求６記載の傘。
【請求項７】
前記、請求項１又は、請求項２又は、請求項３又は、請求項４又は、請求項５又は、請求項６記載の各機能を、全部使用の傘の場合と、各機能の個別使用の傘又は、各機能の組み替え使用の傘の場合もよい事を、特徴とする請求項１又は、請求項２又は、請求項３又は、請求項４又は、請求項５又は、請求項６又は、請求項７記載の傘。
【考案の詳細な説明】
【技術分野】
【０００１】本考案は、発光機能と警報ブザ−機能と電波放送受信機能を備えた傘に関するものである。
【背景技術】
【０００２】従来の傘では、傘の石突き部のみ発光するもの（特許第３３４２４１９号）や、傘の露先部が発光するもの（特許第２９９４２０号）が考案されているが、実際の暗闇では、わずかな一点しか確認できない為、ドライバ−は、傘をさす歩行者の認識が出来ず、交通事故が後を絶えなかった。又、近年増加する、通り魔等の犯罪に遭遇した時、けたたましい警報音で周囲に知らせ、身を守る機能も無く、気分を和らげる、電波放送を聞く機能も従来の傘には、見られなかった。
【特許文献１】特許第３３４２４１９号
【特許文献２】特許第２９９４２０号
【考案の開示】
【考案が解決しょうとする課題】
【０００３】解決しょうとする問題点は、実際に大雨が降る暗闇において、傘をさす人物の、目視確認が容易でない点及び、凶悪犯罪等の危険状態に遭遇しても、光と警報音で周囲に知らせれないという点、及び、気分を和らげる為や、非常時の情報入手手段として、電波放送が聞けない点である。
【課題を解決するための手段】
【０００４】本考案は、暗闇の中で傘全体を発光させる事により、傘をさす歩行者の確認を、容易にし交通事故を防ぎ又、通り魔的犯罪等の危険状況を、傘の発光と警報音で周囲に認識させる事。又、電波放送が聞ける事を、最も主な特徴とする。
【考案の効果】
【０００５】本考案は、暗闇において傘全体を発光させる事により、交通事故の防止、及び警報音を鳴らす事による犯罪防止の効果と、電波放送受信機能による、情報入手効果と、彩りの発光する傘が、新しいファションを生む等の利点がある。
【考案を実施するための最良の形態】
【０００６】発光手段に、光ファイバ−の使用が無いため、安価で最小の部品数で実現した。
【実施例】
【０００７】考案の実施の形態を、実施例にもとずき図面によって説明する。図１において、中空状支柱の外周に、透光性部材として本考案は、ウレタンエラストマを使用した。透光性部材を含む、中空状支柱（１）の内部には、ＬＥＤランプの配線（２）が枢設され、該支柱（１）の上部中程には、透光性部材からなる石突部を含む上轆轤（３）本考案は、透光性部材としてアクリルを使用した、該上轆轤（３）が接合し、該上轆轤（３）には、ＬＥＤランプ（４）が枢設され、該配線（２）と接続し、該上轆轤（３）の周縁には、φ４透光性部材の紐（５）本考案は、透光性部材として、ウレタンエラストマを使用した。該φ４透光性部材の紐（５）を、φ５透光性部材のホ−ス（６）本考案は、透光性部材として、ビニ−ルホ−スを使用した。該φ５透光性部材のホ−ス（６）により固定された親骨（７）が枢設し、該親骨（７）の中程から、該φ４透光性部材の紐（５）を、該φ５透光性部材のホ−ス（６）により固定された、受骨（８）が枢枝し、そのもう一方の端は、該支柱（１）の外周を、上下摺動自在の透光性部材からなる、下轆轤（９）の先端と  枢設されている。該上轆轤（３）の上部、石突き部は、透明の突起状の容器と透明の露先カバ−を溶着した、傘周縁を覆う、透明性の材質で形成された傘布（１０）で狭設されている。該支柱（１）の内部には、上轆轤止め（１１）と下轆轤止め（１２）が枢設され、傘の開閉時の、ストッパ−となる。該支柱（１）の下部は握り部（１３）で、該握り部内には、挿脱可能な、乾電池（１４）と、防犯ブザ−回路（１５）及び、ＬＥＤ発光回路（１６）及び、本考案は電波放送受信機能にラジオ回路（１７）を使用。及び、スイッチ（１８）及び、各回路を接続する配線（１９）が枢設され、該スイッチ（１８）の、操作により該上轆轤（３）内に  設けられたＬＥＤランプ（４）が点灯し、該上轆轤（３）で、発光された光は、複数の該親骨（７）に、固定の  該φ５透光性部材のホ−ス（６）により固定された、該φ４透光性部材の紐（５）と、該支柱（１）に含まれた、透光性部材を透過発光させ、親骨部と、石突き部と露先を覆う、該傘布（１０）が発光し、傘全体が輝きに包まれる。該スイッチ（１８）の操作により該ＬＥＤランプ（４）の発光と、該防犯ブザ−回路（１５）による警報音が、圧電スピ−カ（２０）を通じて、同時に鳴らせる事と又は、該ＬＥＤランプ（４）の発光機能のみの駆動と、又は該ＬＥＤランプ（４）の発光機能と、ラジオ回路（１５）の駆動による、ラジオ音声を、スピ−カ（２１）を通じて、同時に鳴らす事と、又は各機能単体のみの駆動等の、操作が自由に選択できる事を特徴とする傘であって、防犯ブザ−機能、ラジオ機能、発光機能の付いた、傘に関するものである。
【産業上の利用可能性】
【０００８】この考案に従えば、雨降りの夜道でも、トライバ−が確実に、歩行者を認識でき交通事故の予防になり、通り魔犯罪の遭遇時や、山や海での遭難時における非常緊急信号手段としても、利用可能である。又ラジオ機能と、傘の発光機能が、楽しくさせるという効果が期待され、雨の日の外出時の、新しいファッションとして利用されるという用途に、適用できる。
【図面の簡単な説明】
【０００９】
【図１】            実施の形態の傘全体の斜視図
【図２】            本考案の握り部を示す分解図
【図３】            本考案の回路手段を示す回路図
【図４】            本考案の上轆轤部を示す分解図
【符号の説明】
【００１０】  １．透光性部材を含む中空状の支柱
２．ＬＥＤランプの配線
３．上轆轤
４．ＬＥＤランプ
５．φ４透光性部材の紐
６．φ５透光性部材のホ−ス
７．親骨
８．受骨
９．下轆轤
１０．傘布
１１．上轆轤止め
１２．下轆轤止め
１３．握り部
１４．リチウム電池
１５．防犯ブザ−回路
１６．ＬＥＤ発光回路
１７．ラジオ回路
１８．スイッチ
１９．各回路を接続する配線
２０．圧電スピ−カ
２１．スピ−カ
【図１】
0003113989.tif 000003
【図２】
0003113989.tif 000004
【図３】
0003113989.tif 000005
【図４】
0003113989.tif 000006
【手続補正書】
【提出日】平成16年12月7日(2004.12.7)
【手続補正１】
【補正対象書類名】明細書
【補正対象項目名】実用新案登録請求の範囲
【補正方法】変更
【補正の内容】
【書類名】実用新案登録請求の範囲
【請求項１】
傘に防犯ブザ−機能を備えた傘。
【請求項２】
前記防犯ブザ−機能付き傘に電源を備え電源の供給によって音を発生可能な音発生手段から警報音を操作部の作動に基づき発生する請求項１に記載の傘。
【請求項３】
前記防犯ブザ−機能付き傘の少なくとも一部又は、全体に透光性部材を含む、請求項１又は２に記載の傘。
【請求項４】
前記透光性部材に、アクリル樹脂、ポリカ−ボネイト、ウレタンエラストマ、ポリ塩化ビニ−ル、ポリビニ−ルアルコ−ル、光フアイバ−、ガラス、エポキシ樹脂、透光性樹脂、ペット樹脂のいずれかを使用する事を特徴とする請求項３に記載の傘。
【請求項５】
前記透光性部材に光を浸入させる事のできる、光源及び電源を前記防犯ブザ−機能付き傘に備え、前記操作部の作動に基づき電源を供給し、前記光源を発光させ、前記透光性部材に浸入した前記光源の光によって、前記防犯ブザ−機能付き傘の少なくとも一部又は、全体を発光する発光機能及び、前記電源にって電源を供給し、前記音発生可能な、音発生手段から警報音を発生する機能を、前記操作部の操作によって、少なくとも１つの機能を選択する、選択可能な事を特徴とする、請求項１又は２又は３又は４に記載の傘。
【請求項６】
前記防犯ブザ−機能及び発光機能付き傘に電波放送受信可能な受信装置を備えた事を特徴とする請求項１又は２又は３又は４又は５に記載の傘。
【請求項７】
前記防犯ブザ−機能及び、発光機能及び、電波放送受信可能な受信装置付き傘に、前記電源によって電源を供給し前記光源を発光させ、前記透光性部材に、浸入した前記光源の光によって、傘の少なくとも一部又は、全体を発光する、発光機能を備えた前記傘に、前記防犯ブザ−機能を備え、前記電源によって電源を供給し、前記音発生可能な音発生手段から、警報音を発生する機能及び、電波放送受信可能な受信装置を備え、前記電源によって電源を供給し、前記音発生可能な音発生手段から受信音を発生する機能を、前記操作部の操作によって、少なくとも１つの機能を選択する、選択可能な事を特徴とする、請求項１又は２又は３又は４又は５又は６に記載の傘。